(57)【要約】【課題】  シールブロック形ギヤポンプを車両用エンジンの燃料系に使用し得るものとする。【解決手段】  密封されたギヤケース内で互いにかみ合うドライブギヤ及びドリブンギヤと、両ギヤの側面シールを行う側板と、歯先シールを行うシール部材とを備えたギヤポンプにおいて、シール部材を、ギヤケースと別個で、かつ低圧側かみ合い部近傍で複数の歯先との間で設けると共に、このシール部材と側板とによって吸込ポートを形成し、両ギヤのかみ合い部および当該シール部以外のギヤケース内部を吸込ポートに対して圧力を高くした高圧域とし、かつ側板に圧力区画シールを設け、これを階段状の断面とする、あるいは、ドリブンギヤのシャフトをケースに無拘束とし、両ギヤおよびシール部材からなる内部部品の回転反力をシール部材背面の中央部で支えるようにする。【選択図】図１
2007032580.tif 000002
【特許請求の範囲】
【請求項１】
密封されたギヤケース内で互いにかみ合うドライブギヤ及びドリブンギヤと、一方の側面が前記両ギヤの側面と摺接するように前記両ギヤに対して回転軸方向の両側にそれぞれ配置され前記両ギヤの側面シールを行う側板と、前記両ギヤの歯先シールを行うシール部材とを備えたギヤポンプにおいて、前記シール部材を、ギヤケースと別個で、かつ低圧側かみ合い部近傍で複数の歯先との間で設けると共に、このシール部材と前記側板とによって吸込ポートを形成し、両ギヤのかみ合い部および当該シール部以外のギヤケース内部を前記吸込ポートに対して圧力を高くした高圧域とし、かつ前記側板に圧力区画シールを設け、これを階段状の断面としたことを特徴とするギヤポンプ。
【請求項２】
請求項１に記載のギヤポンプにおいて、
前記圧力区画シールを１つの閉曲線としたことを特徴とするギヤポンプ。
【請求項３】
密封されたギヤケース内で互いにかみ合うドライブギヤ及びドリブンギヤと、一方の側面が前記両ギヤの側面と摺接するように前記両ギヤに対して回転軸方向の両側にそれぞれ配置され前記両ギヤの側面シールを行う側板と、前記両ギヤの歯先シールを行うシール部材とを備えたギヤポンプにおいて、前記シール部材を、ギヤケースと別個で、かつ低圧側かみ合い部近傍で複数の歯先との間で設けると共に、このシール部材と前記側板とによって吸込ポートを形成し、両ギヤのかみ合い部および当該シール部以外のギヤケース内部を前記吸込ポートに対して圧力を高くした高圧域とし、かつ前記ドリブンギヤのシャフトをケースに無拘束とし、両ギヤおよびシール部材からなる内部部品の回転反力をシール部材背面の中央部で支えるようにしたことを特徴とするギヤポンプ。
【発明の詳細な説明】
【技術分野】
【０００１】
本発明は、車両の筒内噴射エンジンの燃料系およびその系に使用されて特に効果を発揮するギヤポンプに関する。
【背景技術】
【０００２】
特開平３−２７１５７７号公報には、内燃機関および自動伝動装置用の歯車ポンプが、そして特開平２−２９４５７８号公報には歯車を使用した歯車ポンプからなる燃料搬送装置が記載されている。
特開平４−２３１６８８号公報には、相互にかみ合う歯の間に、広がったり狭まったりして容積が変化するポンプ室を円周方向に形成する内外側歯車回転子と、内外側歯車回転子相互間で軸方向に開口し、相互に隔設され、前記容積が変化するポンプ室内に至る流体入口および出口手段と、入口および出口相互間にて流体の移送のために歯車回転子を駆動させるように内側歯車回転子と連結する装置と、前記外側歯車回転子を包囲するハウジングを含み、該外側歯車回転子の回転を案内する装置と、ハウジングの出口に隣接して設けられ、前記外側歯車回転子を軸支する軸受装置とを包含し、外側歯車回転子が該軸受装置以外では該ハウジング内を自由遊動でき、狭められたポンプ室内の流体圧力により、外側歯車回転子が前記軸受装置に押しつけられ、拡がったポンプ室における漏出隙間を減少させることを特徴とするジロータポンプが記載されている。
また、特公昭４５−１６３００号公報には、密封された歯車ケース内において互いにかみ合う両歯車の歯先シールを行うシール部材を、歯車ケースと別個で、かつ低圧側かみ合い部近傍に設けるとともに、このシール部材に油流通孔を形成した油圧歯車ポンプまたはモータが記載されている。
【０００３】
【特許文献１】特開平３−２７１５７７号公報
【特許文献２】特開平２−２９４５７８号公報
【特許文献３】特開平４−２３１６８８号公報
【特許文献４】特公昭４５−１６３００号公報
【発明の開示】
【発明が解決しようとする課題】
【０００４】
燃料ポンプをエンジンと直結せず切り離すことによって、ポンプの取り付け上の制約がなくなり、始動時における燃料の増量性がよくなり、汎用性が向上する。このため、エンジンから切り離された電動ギヤポンプが提案されて来た。従来のギヤポンプにあっては効率あるいは燃費の面で更なる向上が要望される。
前述した特公昭４５−１６３００号公報に記載されるギヤポンプは構造が簡単で、粘性の高い流体に対しては効率がよく、信頼性が高いという特徴をもつ。ただ、このギヤポンプは、公報にも記載されているように、油圧歯車ポンプとして使用されるものであって、粘性の低い燃料を扱う車両の燃料ポンプとして使用するには適さない。車両の燃料ポンプは、その搬送の対象が主にガソリンであるためキャビテーションの発生を防止するものでなければならない。また、車両の燃料系に使用されるものであるから昇圧性がよく、かつ燃費を向上させるものでなければならない。
【０００５】
本発明は、シール形ギヤポンプの特徴を生かしつつ、車両の燃料ポンプとして使用し得るギヤポンプおよびこれを使用した車両用エンジンの燃料系、特に筒内噴射エンジンの燃料系を提供することを目的とする。更に、具体的には、（１）ガソリン車における燃料ポンプにおけるキャビテーション発生を防止する、あるいは（２）昇圧性がよく、かつ燃費を向上することができるギヤポンプおよびこれを使用した車両用エンジンの燃料系を提供することを目的とする。
【課題を解決するための手段】
【０００６】
油圧用としては公知のシールブロック形ギヤポンプ（各種ギヤポンプの中で最も効率が高い）を低粘性流体（すなわちガソリン）で使用する場合は種々の課題を解決しなければならない。
（１）吸込時のキャビテーション
シールブロック形ギヤポンプは吸込ポートが小さく、キャビテーションを起こし        やすい。特にガソリンにおいて顕著である。
（２）容積効率の向上（漏れの低減）
ガソリンは低粘度（油の１／１００）のため漏れが多くなる。
（３）機械効率の向上（摩擦の低減）
潤滑材の使用は許されない状態での摩擦を低減する必要がある。
（４）長寿命化（摩耗の低減，キャビテーション壊食の回避）
ガソリンは潤滑性に乏しく、キャビテーションを起こしやすい。
【０００７】
本発明は、密封されたギヤケース内で互いにかみ合うドライブギヤ及びドリブンギヤと、一方の側面が前記両ギヤの側面と摺接するように前記両ギヤに対して回転軸方向の両側にそれぞれ配置され前記両ギヤの側面シールを行う側板と、前記両ギヤの歯先シールを行うシール部材とを備えたギヤポンプにおいて、前記シール部材を、ギヤケースと別個で、かつ低圧側かみ合い部近傍で複数の歯先との間で設けると共に、このシール部材と前記側板とによって吸込ポートを形成し、両ギヤのかみ合い部および当該シール部以外のギヤケース内部を前記吸込ポートに対して圧力を高くした高圧域とし、かつ前記側板に圧力区画シールを設け、これを階段状の断面としたことを特徴とする。
【０００８】
このとき、前記圧力区画シールを１つの閉曲線にするとよい。
【０００９】
また本発明は、密封されたギヤケース内で互いにかみ合うドライブギヤ及びドリブンギヤと、一方の側面が前記両ギヤの側面と摺接するように前記両ギヤに対して回転軸方向の両側にそれぞれ配置され前記両ギヤの側面シールを行う側板と、前記両ギヤの歯先シールを行うシール部材とを備えたギヤポンプにおいて、前記シール部材を、ギヤケースと別個で、かつ低圧側かみ合い部近傍で複数の歯先との間で設けると共に、このシール部材と前記側板とによって吸込ポートを形成し、両ギヤのかみ合い部および当該シール部以外のギヤケース内部を前記吸込ポートに対して圧力を高くした高圧域とし、かつ前記ドリブンギヤのシャフトをケースに無物束とし、両ギヤおよびシール部材からなる内部部品の回転反力をシール部材背面の中央部で支えるようにしたことを特徴とする。
【発明の効果】
【００１０】
本発明によれば、油圧用としては公知のシールブロック形ギヤポンプを低粘性流体（ガソリン）を輸送する燃料ポンプを使用することができるものとなった。
【００１１】
この発明によれば、
（１）吸込時のキャビテーションの発生が防止された。
（２）漏れが低減し、容積効率が向上した。
（３）摩擦が低減し、機械効率が向上した。
（４）長寿命化を達成する見通しを得た。
【００１２】
すなわち、本発明によれば、シールブロック形ギヤポンプを車両用エンジンの燃料系に使用できる見通しを得たので、各種ポンプの中で最も効率の高い特徴を生かしつつ、昇圧性がよく、かつ燃費を向上する燃料系ならびにそれに使用し得るギヤポンプを提供することができる。
【発明を実施するための最良の形態】
【００１３】
筒内噴射エンジン用には、従来、ピストンポンプが用いられていた。ピストンポンプは性能的には優れているが、部品点数が多く高い加工精度を必要とするなど、コスト面において問題がある。これに対してギヤポンプを用いれば、部品点数を低減できるなど、コスト的には大幅な低減が可能であるが、性能面においては解決すべき大きな問題を抱えており、実用化は困難であった。ギヤポンプを車両用エンジンの燃料系、特に粘性の低いガソリンを高圧で使用する筒内噴射エンジンの燃料系に適用した実施例を以下で説明する。
【００１４】
以下、本発明の実施例について添付の図面を参照しながら詳細に説明する。
【００１５】
図１は、本発明の一実施例である車両用エンジンの燃料系の構成図であり、この図に示す燃料系は、燃料をタンク６より移送するフィードポンプ２と、フィードポンプより吐出された燃料をさらに加圧する高圧用のシールブロック形ギヤポンプ３と（以下、ギヤポンプと称す）、ギヤポンプを駆動するモータ８と、フィードポンプの吐出圧力を調節する低圧プレッシャレギュレータ４と、ギヤポンプの吐出圧力を調節する高圧プレッシャレギュレータ５と、ギヤポンプより吐出された燃料を噴射する燃料噴射弁７と、燃料噴射弁に入力電流を与える駆動回路１１と、燃料噴射弁に与える燃料圧力を計測する圧力センサ１２と、各種センサからの情報を元に駆動回路およびモータに入力信号を与えるコントロールユニット１０とを含んで構成されている。
【００１６】
本実施例ではギヤポンプの吐出圧力の調整を高圧レギュレータ５により行っているが、これを単なる固定絞りとし、ギヤポンプの回転数制御により吐出圧力を調整する方法も可能である。すなわち圧力センサ１２の情報を基に、コントロールユニット１０によりモータ８の回転数を制御してギヤポンプの吐出流量を制御すれば吐出圧力の制御が可能となる。この方式によれば高圧レギュレータを省略できるだけでなく、任意の圧力に制御する可変圧力制御も可能となる。
【００１７】
また、本実施例は本発明の車両用エンジンの燃料系を筒内噴射式ガソリンエンジンの燃料系に適用した例であり、筒内噴射式ガソリンエンジンにおいては圧縮行程の高圧雰囲気中への燃料噴射や、限られた短い噴射期間で所定の燃料をシリンダ内に噴射することが求められるため、燃料噴射圧力すなわちギヤポンプの吐出圧力は従来のポート噴射式エンジンに比べはるかに高圧の３〜１０Mpa 程度とする必要がある。将来的にはさらに高圧化する可能性もある。
【００１８】
ここで、本発明の燃料系に用いるシールブロック形ギヤポンプ３は各種ギヤポンプの中で最も効率が高い特長があるが、その構造上吸込ポートが小さく、結果吸込流速が上がりキャビテーションが比較的発生し易くなる短所がある。すなわち流速が上がるとポンプ内部の最低圧力が下がり、これが空気分離圧以下になるとキャビテーションが発生する。キャビテーションが発生すると、それ以上回転速度が大きくなっても吐出量が増加しなくなり、また吸込ポートで発生した気泡が吐出側で破壊する際の衝撃圧力によって金属表面が浸食される、いわゆるキャビテーションエロージョンが起きるなどの大きな問題を引き起こす。
【００１９】
またガソリン自体キャビテーションが起こりやすい液体であり、大気圧下においては
４０℃くらいから気泡が発生し、５０℃くらいではこれがかなりさかんになる。特に車両のガソリン用ポンプとして用いる場合には、エンジン等の熱によりガソリンが高温となるため、よりキャビテーションが発生し易い状況となりこの点においてシールブロック形ギヤポンプをそのまま用いるのは困難である。
【００２０】
そこで本発明の一実施例である車両用エンジンの燃料系では、シールブロック形ギヤポンプ３の前段にブースト用のフィードポンプ２を配置し、そのブースト圧力を概ね０.２〜０.５MPaとすることでキャビテーションの発生を抑制し、シールブロック形ギヤポンプの使用を可能としたものである。すなわちガソリン中に溶解できる飽和空気量は高圧になるに従い増えるので、フィードポンプにより吸込圧力を上げればキャビテーションの発生を抑制することができる。
【００２１】
ただし、その圧力はエンジンの省燃費の観点からキャビテーションを防止し得る範囲でできるだけ低圧であることが望ましい。ガソリン自体混合物でありその物性にばらつきはあるものの、概ね０.２〜０.５Mpa の圧力がキャビテーションの発生を防ぎつつ、小動力でのフィードポンプの駆動を行うに適正な値である。
【００２２】
以上のようにしてシールブロック式ギヤポンプを車両用エンジンの燃料系に適用することが可能となったが、エンジンの低燃費化を図るためにはポンプの更なる効率向上が望まれる。特にガソリンでは一般の油圧作動油に比して粘性が約１／１００程度と非常に小さいためポンプの内部漏れが増大し、容積効率が著しく低下する。またガソリン自身の潤滑性が期待できないので摩擦抵抗の増大による機械効率の低下も予想され、磨耗，焼き付き等に対する信頼性の確保も困難となる。
【００２３】
このため本発明の一実施例であるシールブロック形ギヤポンプは以下のような特徴を備えたものである。本ポンプの詳細な構造を図２〜図６を用いて説明する。
【００２４】
図２は本発明の一実施例であるシールブロック形ギヤポンプの縦断面図であり、図２におけるＩ−Ｉ断面，II−II断面，III−III断面をそれぞれ図３，図４，図５に示す。
【００２５】
図２において、４１はフロントカバー、３７はリアケースで、軸受３９ａ，３９ａ’を介してドライブシャフト２０１と一体になったドライブギヤ３１が両者４１，３７に軸支されている。ドリブンギヤ３２はシャフト２０２と一体で回転可能に支持されており、ドライブギヤ３１と互いにかみ合って回転しポンプ作用を行うものである。
【００２６】
３４，３４’はその一方の側面が両ギヤ３１，３２の側面にそれぞれ摺接し、ギヤの側面シールを行う一対のシール側板で、図３，図４に示すように両ギヤのシャフト２０１，２０２が貫通される孔を有し、このそれぞれの孔に両軸に保持された軸受３９ａ，39ａ’および３９ｂ，３９ｂ’がはめこまれており、このシール側板によってドライブギヤ，ドリブンギヤの両軸が平行かつ所定の間隔を有して支持されている。
【００２７】
リアケースは図３，図４に示すように内部が円筒形をなすもので、両ギヤ３１，３２とは離れてこれを包囲し、フロントカバー４１とで側板３４，３４’および両ギヤ３１，
３２を挟み込んで支持している。側板３４，３４’は同一形状のもので両ギヤのシールを行う側は図３に示す形状に、フロントカバー内面，リアケース内面に面する側は図４に示す形状に形成されている。
【００２８】
両側板は図３，図４に示すように吸込用流通孔となる吸込ポート３５を有しており、吸込ポート近傍における外縁Ｒは両ギヤの歯先円の径にほぼ等しく形成されている。３３は吸込ポート近傍において両ギヤ３１，３２の歯先シールを行うシール部材（以下、シールブロックと称する。）でフロントカバー４１およびリアケース３７とは別個に構成される。
【００２９】
シールブロック３３のそれぞれのシール面は、ギヤ外径を直径とする円弧すなわち側板３４’のその部における外縁Ｒと等しく形成され、図４に示すようにシールブロック３３はそのシール面が側板３４’の外縁Ｒに接合した状態で両側板３４，３４’に両持ち保持されている。なお、吸込ポート３５は側板３４，３４’およびシールブロック３３とフロントカバー４１において形成され、吐出ポート３６はフロントカバー４１内に形成されリヤケース３７内と連通している（図５参照）。
【００３０】
シールブロック形ギヤポンプの特長として、歯先すきまはギヤと側板のただ２つの寸法関係で決まり、多くの部品の集積加工公差の影響を受けない結果、性能のばらつきが少ないことが挙げられる。また慣らし運転時にシールブロックの内面をギヤで削り取ることで加工公差を吸収し、極めて微少な歯先すきまとすることで性能向上を果たしている。
【００３１】
ここで本発明のシールブロック形ギヤポンプではギヤと側板を熱膨張率の等しい材料とすることで、車両用ポンプとして求められる広い温度範囲での安定した性能の確保を実現している。仮に両者の熱膨張率が異なる場合、温度変化によりギヤの歯先円径と側板の外縁Ｒとに寸法差ができるるため、歯先すきまが増大して著しく容積効率が低下する可能性がある。
【００３２】
両ギヤのポンプ作用によって吸込ポート３５より吸い込まれたガソリンはリアケース内Ａに放出され、このケース内に充満すると、ガソリンは吐出ポート３６より外部に吐出される。
【００３３】
図４において３８は、側板３４およびシールブロック３３の端面に形成された溝３４ａおよび３３ｄにはめ込んだ圧力区画シールで吸込ポート３５の接合面のシールを行うものである。これはリアケース内の圧力すなわち吐出圧力と、吸込ポート部の圧力すなわち吸込圧力との圧力差によって、リアケース内のガソリンがこの接合面を通って吸込ポートと連通しないようにするためのものである。それと同時に側板背面（側板のフロントカバーまたはリアケースとの接合面）の圧力分布を決定し、側板内面（側板のギヤとの接合面）の圧力との軸方向推力をバランスさせ、ギヤに対してスラストな推力が生じないようにする役割を担うものである。
【００３４】
すなわち、圧力区画シールの内側を吸込圧力、外側を吐出圧力に区画することで、側板３４，３４’の両面にはケース内の圧力が大きさ等しく作用するようになっており、軸方向の完全な圧力バランスが得られている。それと同時に側板３４，３４’のギヤ側面シールが良好に行われる。
【００３５】
４０は両側板３４，３４’とリアケース３７の内面との間に介在された板ばねで、その押圧荷重はシールブロック３３の背面に設けられた突起３３ｃにより受けられ、結果、両側板３４，３４’とこれに両持ち支持されたシールブロック３３とを矢印４０１の向きに（リアケース３７の内面に向かって）押圧する働きをする。
【００３６】
また、両側板３４，３４’と両ギヤ３１，３２は側板にはめ込まれたドライブ側の軸受３９ａ，３９ａ’によりフロントカバー４１，リアケース３７に位置決めされ、ドリブン側の軸受３９ｂ，３９ｂ’はフロントカバー４１，リアケース３７に対して無拘束として、ドリブン側のシャフト２０２がドライブ軸２０１を中心として回動可能にしている。このためリアケース内部品全体はドライブ軸を中心として回転しようとする反作用モーメントが生じるため、ケース内にシールブロック３３の突起部３３ｃを押し当てて回転止めとしている。
【００３７】
ただし実際両ギヤ３１，３２がポンプ作用を行っている間は、リアケース３７内の圧力は吸込ポートの圧力より大きく、この圧力差によって、シールブロック３３は側板３４，３４’に圧接保持されるから、板ばね４０による押圧力は相対的に小さくなる。したがって板ばね４０の役割はポンプ休止時および運転開始時の低圧力時における内部部品のふらつき防止具である。
【００３８】
ドリブン側の軸受３９ｂ，３９ｂ’を無拘束とした結果、ポンプ内部の主要部品である両ギヤ，両側板，シールブロックの位置はドライブ軸を基準に全てが決まり、ポンプ性能に重大な影響を与える両ギヤの平行度やギヤと側板との直角度は、多くの部品の加工公差の集積の影響を受けなくなる。したがってこれらを精度よく管理することが容易となる。仮にドリブン軸側の軸受けもドライブ側と同様にフロントカバー４１およびリアケース
３７に拘束してしまうと、過剰拘束となる結果、フロントカバー４１，リアケース３７の加工公差の影響を受け、両軸のねじれ等を生じる要因となる。
【００３９】
以上述べたように本ポンプはいわゆる可動側板タイプのシールブロック形ギヤポンプであり、両ギヤの側面を側板でシールし、歯先をシールブロックでシールしてポンプの内部漏れを極小化させるものである。側板の役割は吐出圧力の大小に依らずギヤ側面とのすきまを常に一定に保つためのものであり、基本的にはギヤと接触しているため巨視的なすきまはない。もし側板内面が高圧になれば側板背面のすきまに導かれたガソリンも高圧になるので軸方向の圧力平衡が保たれる結果、側板は常にギヤ側面との接触を保つようになっている。
【００４０】
もしバランスが崩れてギヤと側板内面との間に隙間が生じた場合には、高圧部から側板の内面を通って低圧部であるシャフトの外周面にガソリンが漏れてしまい、昇圧性，燃費を悪くしてしまう。
【００４１】
その際側板３４，３４’は摩擦増加による負荷トルクの増大や、磨耗，焼き付き等の観点からギヤ側面に押し付けすぎるのは避けるべきであり、ゴムなどの弾性体で作られた圧力区画シール３８，３８’による初期荷重のみでかるくギヤ側面との接触を保っているのが理想である。またこの場合に、非常に高い燃費性能を得ることができる。
【００４２】
このため本発明の一実施例であるシールブロック形ギヤポンプ３は以下のような構造上の特徴を備えたものである。
（１）歯先シール角度を１.５×３６０゜÷歯数とする。
（２）圧力区画シールを１つの閉曲線とする。
（３）圧力区画シールを階段状の断面とする。
【００４３】
まず（１）について説明する。図３においてシールブロック形ギヤポンプではギヤ外周の圧力分布はほとんどが高圧（吐出圧力）域であり、ギヤかみ合い位置から吸込ポート
３５にかけてが低圧（吸込圧力）域である。そして側板３４’とシールブロック３３が接触する歯先シール区間３３ａ，３３ｂが低圧から高圧に変化する遷移領域となる。この遷移領域においてはギヤの回転により歯の接触位置および歯の接触枚数が変化するため側板内面の圧力分布が変動を繰り返す。一方側板背面の圧力分布は圧力区画シールの溝位置により定まり、こちらは常に一定であるため、側板両面の軸方向力を全ての瞬間において平衡させることは不可能である。
【００４４】
ここで、シールブロック形ギヤポンプの歯先シールはシールブロック３３により低圧側の１〜２枚の歯先のみで確実に行い、他の部分はわざと高圧にさらすという考え方に立脚しており、側板内面全面積についての圧力積分値に対し、力の変動分は事実上ごくわずかである。しかしより正確な圧力バランスを実現するためにはこの変動分を極小化する必要があり、このため本実施例のシールブロック形ギヤポンプでは、図６に示す歯先シール角度αを１.５×３６０゜÷歯数としたものである。
【００４５】
低圧側の１〜２枚の歯先をシールするためにはαは（１〜２）×３６０゜÷歯数の範囲をとり、例えば歯数１４枚の場合α＝２５.７゜〜５１.４゜の範囲となる。ここで、図７は側板内面の円周方向圧力分布を直線に展開してモデル的に表したものであり、図中の斜線で示した領域が圧力分布の最大変動分である。この図に示すように歯先シール角度αを歯先１.５枚分としたα＝３８.６゜の場合が、最も変動分が小さくなることがわかる。
【００４６】
このとき、歯数が１４から１８枚のギヤを用いる場合に、歯先１.５ 枚分をシールするためのαは、約３８.６から３０゜であり、概ね３５゜±５゜にすればよい。
【００４７】
このようにして側板内面の圧力分布の変動を最小にすることができたが、圧力バランスを正確に行うには側板背面の圧力分布も精密に位置決めし、正確に内面の圧力分布と一致させる必要がある。このため本発明のシールブロック形ギヤポンプでは、（２）圧力区画シールを１つの閉曲線としたものであり、１本のシールで行うことにより自由に溝位置を配置できるため精密な圧力分布の位置決めが容易となる。
【００４８】
これに対し従来のシールブロック形ギヤポンプでは、例えば特公昭４５−１６３００号公報に記載のように、圧力区画シールを複数のＯリングの組み合わせで行っており、各Ｏリングの干渉を避けるために側板背面の圧力分布を精密に行うのは困難であった。また組立性にも問題があり、側板、シールブロックが軸方向に自由に動けるため、この両者にまたがるＯリングが組み付け時に脱落しやすいという問題も考えられる。
【００４９】
本発明のシールブロック形ギヤポンプでは、圧力区画シールを１つの閉曲線とすることの副次効果として、シールが脱落し難くなり組立性も向上も実現できた。
【００５０】
以上のようにして軸方向のスラスト力をほぼ平衡させることができ、弾性体による初期荷重のみでかるく側板とギヤが接触している状態を得ることができる。ここでいう弾性体とは圧力区画シールのことであり、材質としては例えばゴム等が適当である。これは高温から低温まで車両用に要求される広い温度範囲において安定したシール特性が得られる点で優れており、耐ガソリン性の点からフッ素ゴムなどが適当である。しかし、ゴムを使用する問題としてガソリンによる膨潤があり、このため運転中にギヤを挟み込む荷重が増大する可能性がある。
【００５１】
そこで本発明に係るシールブロック形ギヤポンプでは図２に示すように、角断面の溝に対し（３）圧力区画シール３８，３８’を階段状断面とすることで、膨潤してもゴムが逃げられる空間を設け、スラスト力増大の回避を図ったものである。また通常の丸断面や角断面のゴムシールに比べ、ゴムのスラスト方向のばね定数を下げることができるので、膨潤の影響を受け難くなるだけでなく、多くの部品の加工公差の集積により圧力区画シールの初期つぶし量が変化しても影響を受け難くくなる結果、常にかるい初期荷重のみでギヤ側面との接触を保つ理想的な状態を維持することができる。
【００５２】
また本発明に係るシールブロック形ギヤポンプでは図６に示すように歯先シール部におけるシールブロック３３の部分円弧を側板３４’の部分円弧よりも大きく角度をとっている。
【００５３】
この理由は２つあり、１つは歯先シール角度αをばらつきなく精度出すための工夫で、この構成によれば歯先シール角αは側板の部分円弧の角度のみで決まるためシールブロック３３の部分円弧角度が多少ばらついても歯先シール角度αは変化しない。もう１つの理由はキャビテーションエロージョンの対策であり、ポンプの耐久性向上のための１手段である。
【００５４】
本発明に係る燃料系ではフィードポンプの使用によりキャビテーションの発生を抑制してシールブロック形ギヤポンプの適用を可能にしたが、高温時や機関停止時には少なからず気泡が発生する可能性がある。発生した気泡が吸込ポート３５から回転するギヤの歯溝内に入った場合、ギヤが回転して歯先シール区間を越えて高圧域に入った瞬間に高圧のガソリンが歯溝内に流れ込むため気泡が押しつぶされて超高圧を発生させる。
【００５５】
このときシールブロック側の部分円弧を側板側よりも角度を大きくしておくことで歯溝内と高圧域とは図６に示すＢ部より先に連通し、その後全体が高圧域に開放される。このため高圧のガソリンはギヤ両側面から歯溝内に同時に流れ込み、歯溝内の気泡はギヤの歯幅方向の中央部でつぶされる。したがってギヤには超高圧が作用するが、比較的軟らかい材料を用いる側板に比べ、ギヤは焼き入れ等の表面硬化処理を施してあるので、キャビテーションエロージョンは起き難く、結果ポンプの耐久性，寿命を向上させることが出来る。
【図面の簡単な説明】
【００５６】
【図１】本発明の一実施例である車両用エンジンの燃料系の構成図。
【図２】本発明の一実施例であるシールブロック形ギヤポンプの縦断面図。
【図３】本発明の一実施例であるシールブロック形ギヤポンプの横断面図。
【図４】本発明の一実施例であるシールブロック形ギヤポンプの横断面図。
【図５】本発明の一実施例であるシールブロック形ギヤポンプの縦断面図。
【図６】本発明の一実施例であるシールブロック形ギヤポンプのギヤかみ合い部の詳細図。
【図７】本発明の一実施例であるシールブロック形ギヤポンプのギヤ外周の圧力分布を表す図。
【符号の説明】
【００５７】
１…エンジン、２…フィードポンプ、３…シールブロック形ギヤポンプ、４…低圧プレッシャレギュレータ、５…高圧プレッシャレギュレータ、６…燃料タンク、７…燃料噴射弁、８…モータ、１０…コントロールユニット、１１…燃料噴射弁駆動回路、１２…圧力センサ、３１…ドライブギヤ、３２…ドリブンギヤ、３３…シールブロック、３４…側板、３５…吸込ポート、３６…吐出ポート、３７…リヤケース、３８…圧力区画シール、
３９…軸受、４０…押圧ばね、４１…フロントカバー、４２…Ｏリング、４３…オイルシール、４４…止め輪。
【図１】
2007032580.tif 000003
【図２】
2007032580.tif 000004
【図３】
2007032580.tif 000005
【図４】
2007032580.tif 000006
【図５】
2007032580.tif 000007
【図６】
2007032580.tif 000008
【図７】
2007032580.tif 000009